(57)【特許請求の範囲】
【請求項１】
本体上面に設けられ上方から見て略長方形に形成された天板と、前記天板の前方端部を覆うフロントフレーム部とを備え、前記フロントフレーム部は、前記天板の前方端部に沿って形成されるとともに、その断面形状において前方に向かって下がりつつ、外側に凸となる凸曲面を有する傾斜部が形成されたフロントフレーム上面を備え、前記フロントフレーム上面は、前記傾斜部に前記フロントフレーム部の外側に突出し左右方向に延びる帯状の突出部が形成され、前記傾斜部の後方端部と前記突出部の先端を通る平面よりも前記傾斜部が下方に位置するように形成されてなる加熱調理器。
【請求項２】
フロントフレーム部は、フロントフレーム上面と前記フロントフレーム上面の傾斜部の前方端部で下方に折り曲げた前面とを備えることを特徴とする請求項１に記載の加熱調理器。
【請求項３】
本体上面に設けられ上方から見て略長方形に形成された天板と、前記天板の前方端部を覆うフロントフレーム部とを備え、前記フロントフレーム部は、前記天板の前方端部に沿って形成されるとともに、その断面形状において前方に向かって下がりつつ、外側に凸となる凸曲面を有する傾斜部が形成されたフロントフレーム上面を備え、前記フロントフレーム上面は、前記傾斜部に前記フロントフレーム部の内側に突出し左右方向に延びる帯状の突出部が形成され、前記傾斜部の後方端部と前記突出部の先端を通る平面よりも前記傾斜部が下方に位置するように形成されてなる加熱調理器。
【請求項４】
フロントフレーム部は傾斜部の側方端部で下方に折り曲げた側面を備え、突出部は、前記フロントフレーム部の傾斜部の左右側方端部を含んで連続して形成されることを特徴とする請求項１〜３のいずれか１項に記載の加熱調理器。
【請求項５】
突出部の先端の高さを、フロントフレーム部中央から左右側方端部に連続して徐々に低くなるように変化させたことを特徴とする請求項１〜４のいずれか１項に記載の加熱調理器。
【請求項６】
複数の突出部が、間隔を分離して一列に形成されたことを特徴とする請求項１〜５のいずれか１項に記載の加熱調理器。
【請求項７】
傾斜部と突出部それぞれの最も高い部位が同一高さであることを特徴とする請求項１〜６のいずれか１項に記載の加熱調理器。
【請求項８】
突出部が複数個形成されてなることを特徴とする請求項１〜７のいずれか１項に記載の加熱調理器。
【請求項９】
複数個の突出部の先端の高さがそれぞれ異なることを特徴とする請求項８に記載の加熱調理器。
【発明の詳細な説明】
【技術分野】
【０００１】
本発明は、一般家庭の台所や業務用の厨房等で使用される加熱調理器に関するものである。
【背景技術】
【０００２】
従来、この種の加熱調理器における天板のフレームの概略構成は、平面部で構成されていることが一般的である（例えば、特許文献１参照）。
【０００３】
また、特許文献１に記載された加熱調理器のデザイン性能をさらに向上させるべく、図１１、図１２に示すような加熱調理器が考えられている。図１１は、天板前方端部８を覆うフロントフレーム部２の拡大図であり、図１２は図１１のＡ−Ａ断面図である。フロントフレーム部２は、天板前方端部８に沿って形成されるとともに、その断面形状において前方に向かって下がりつつ、外側に凸となる凸曲面を有する傾斜部１２が形成されたフロントフレーム上面と、フロントフレーム上面は天板前方端部８を覆う水平部１０と、傾斜部の前方端部１３で下方に折り曲げた前面１４と、傾斜部の側方端部１５で下方に折り曲げた側面１６とを備えている。さらに、天板側方端縁９を覆うサイドフレーム部３により、天板前方端部８及び天板側方端部９を覆って保護している。また、傾斜部１２は下方に傾斜する緩やかな曲面を有し、デザイン性能を向上させている。
【特許文献１】特開２００２−２０８４６８号公報
【発明の開示】
【発明が解決しようとする課題】
【０００４】
しかしながら、図１１、図１２に記載された加熱調理器では、水平部１０とデザイン性より緩やかな曲面である傾斜部１２は双方とも略平面であるため、強度的には弱く、調理容器などを誤って落としてしまった場合や当ててしまった場合に、打痕傷が付く恐れがあるという課題を有していた。すなわち、図１３で示すように、水平部に落下したフライパン１７や傾斜部に落下したフライパン１８などで、水平部１０や傾斜部１２が塑性変形し、打痕傷として残ってしまう。
【０００５】
本発明は、前記従来の課題を解決するもので、使用者が通常使用や誤使用の範囲内で、フライパンや鍋などを誤って落としても、加熱調理器のフレーム部を損傷させず、信頼性の高い加熱調理器を提供することを目的とする。
【課題を解決するための手段】
【０００６】
前記従来の課題を解決するために、本発明の加熱調理器は、本体上面に設けられ上方から見て略長方形に形成された天板と、前記天板の前方端部を覆うフロントフレーム部とを備え、前記フロントフレーム部は、前記天板の前方端部に沿って形成されるとともに、その断面形状において前方に向かって下がりつつ、外側に凸となる凸曲面を有する傾斜部が形成されたフロントフレーム上面を備え、前記フロントフレーム上面は、前記傾斜部に前記フロントフレーム部の外側に突出し左右方向に延びる帯状の突出部が形成され、前記傾斜部の後方端部と前記突出部の先端を通る平面よりも前記傾斜部が下方に位置するように形成されてなることとしたものである。
【０００７】
これによって、フロントフレーム部上面の強度が増すことと、フライパンなどは、従来からの課題であった平面部や傾斜部に一点で当たることを回避し、突出部と２点で当たる効果を有することにより、衝撃の力を分散することができ、平面部及び傾斜部が塑性変形することがなく、傷が付く課題を解決することができるのである。よって、安心して調理
することが可能となり、加熱調理器としての安全性を一層高めることとなる。
【発明の効果】
【０００８】
本発明の加熱調理器は、加熱調理器のフレーム部を損傷させない加熱調理器を実現することができる。
【発明を実施するための最良の形態】
【０００９】
第１の発明は、本体上面に設けられ上方から見て略長方形に形成された天板と、前記天板の前方端部を覆うフロントフレーム部とを備え、前記フロントフレーム部は、前記天板の前方端部に沿って形成されるとともに、その断面形状において前方に向かって下がりつつ、外側に凸となる凸曲面を有する傾斜部が形成されたフロントフレーム上面を備え、前記フロントフレーム上面は、前記傾斜部に前記フロントフレーム部の外側に突出し左右方向に延びる帯状の突出部が形成され、前記傾斜部の後方端部と前記突出部の先端を通る平面よりも前記傾斜部が下方に位置するように形成されてなることを特徴とすることにより、フロントフレーム部上面の強度が増し、フライパンなどの調理容器が平面部や傾斜部に一点で当たることを回避し、突出部と２点で当たる効果を有することにより、衝撃の力を分散することができ、平面部及び傾斜部が塑性変形することがなく、傷が付く課題を解決することができるのである。よって、安心して調理することが可能となり、加熱調理器としての安全性を一層高めることができる。
【００１０】
第２の発明は、特に第１の発明のフロントフレーム部において、前記フロントフレーム部は、フロントフレーム上面と前記フロントフレーム上面の傾斜部の前方端部で下方に折り曲げた前面とを備えることを特徴とすることにより、フロントフレーム部の形状に前面がある場合であっても、同様の効果が得られるものである。
【００１１】
第３の発明は、本体上面に設けられ上方から見て略長方形に形成された天板と、前記天板の前方端部を覆うフロントフレーム部とを備え、前記フロントフレーム部は、前記天板の前方端部に沿って形成されるとともに、その断面形状において前方に向かって下がりつつ、外側に凸となる凸曲面を有する傾斜部が形成されたフロントフレーム上面を備え、前記フロントフレーム上面は、前記傾斜部に前記フロントフレーム部の内側に突出し左右方向に延びる帯状の突出部が形成され、前記傾斜部の後方端部と前記突出部の先端を通る平面よりも前記傾斜部が下方に位置するように形成されてなることを特徴とすることにより、凸形状の場合と同じようにフライパンなどの調理容器が平面部や傾斜部に一点で当たることを回避し、凹形状で形成された２点で当たる効果を有することにより、衝撃の力を分散することができ、平面部及び傾斜部が塑性変形することがなく、傷が付く課題を解決することができるのである。よって、安心して調理することが可能となり、加熱調理器としての安全性を一層高めることができる。
【００１２】
第４の発明は、特に第１〜３の発明のいずれか１つの発明のおけるフロントフレーム部は傾斜部の側方端部で下方に折り曲げた側面を備え、突出部は、前記フロントフレーム部の傾斜部の左右側方端部を含んで連続して形成されることを特徴とすることにより、フレーム部全体の範囲に対して打痕傷を防ぐことができ、安心して調理することが可能となり、加熱調理器としての安全性を一層高めることができる。
【００１３】
第５の発明は、特に第１〜４の発明のいずれか１つの発明における突出部の先端の高さを、フロントフレーム部中央から左右側方端部に連続して徐々に低くなるように変化させたことを特徴とすることにより、フロントフレーム長手方向に対して緩やかな曲面を保つことでデザイン性の向上としての効果を有し、加熱調理器の価値を一層高めるものとなる。
【００１４】
第６の発明は、特に第１〜５の発明のいずれか１つの発明における複数の突出部が、間隔を分離して一列に形成されたことを特徴とすることにことにより、帯状と同等にフロントフレーム部に対する打痕傷を防ぐことができ、衝撃を分散させることができる。よって、安心して調理することが可能となり、加熱調理器としての価値を一層高めることができる。
【００１５】
第７の発明は、特に第１〜６の発明のいずれか１つの発明における傾斜部と突出部それぞれの最も高い部位が同一高さであることを特徴とすることにより、フロントフレーム部の平面部及び傾斜部に対して、衝撃を分散させることができ、より確実に打痕傷を防ぐことができる。よって、安心して調理することが可能となり、加熱調理器としての価値を一層高めることができる。
【００１６】
第８の発明は、特に第１〜７の発明のいずれか１つの発明における突出部が複数個形成されてなることを特徴とすることにより、調理容器が接触する箇所を増すことができ、衝撃をさらに分散させることができる。したがって、使用者、例えば力の弱いお年寄りや子供などがフライパンや鍋などを誤ってフレーム部に落とした場合においても、フレームの平面部に打痕傷を防ぐことができ、安心して調理することが可能となり、加熱調理器としての安全性を一層高めることができる。
【００１７】
第９の発明は、特に第８の発明において複数個の突出部の先端の高さがそれぞれ異なることを特徴とすることにより、調理容器が接触する箇所を増すことができ、衝撃を分散させることができる。したがって、使用者、例えば力の弱いお年寄りや子供などがフライパンや鍋などを誤ってフロントフレーム部に落とした場合においても、フロントフレームの平面部に打痕傷を防ぐことができ、安心して調理することが可能となり、加熱調理器としての安全性を一層高めることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における加熱調理器の全体図を示すものである。
【００２０】
図１において、加熱調理器本体５は、天板１を上面に備え、天板１は耐熱性・機械強度・耐薬品性・電気絶縁性・不燃性に優れ、熱膨張係数が低く、印刷技術により意匠を施すことができる機能を有するガラス製のものである。天板１がガラス製であることにより、天板端部の強度を保護することや調理器本体内部に調理物や液体の侵入を防ぐことを目的として、天板１の外周を囲むフロントフレーム部２、サイドフレーム部３、バックフレーム部４を有している。フロントフレーム部２、サイドフレーム部３、バックフレーム部４は、天板１を介して伝わる、被加熱物や内部の発熱部品からの熱伝導に十分耐え、且つ外観部品として見栄えのよく、加工性に優れ、腐食にも強いステンレスやホーロー処理鋼板等の金属から成っている。また、前面ドア６、操作部７などで全体が構成されている。
【００２１】
図２は、本発明の第１の実施の形態における加熱調理器のフロントフレーム部２の拡大図であり、図３は、図２のＡ−Ａ断面図及びＢ−Ｂ断面図である。フロントフレーム部２の上面は、天板の前方端部に沿って形成されるとともに、その断面形状において前方に向かって下がりつつ、外側に凸となる凸曲面を有する傾斜部１９と、傾斜部１９上に形成されたフロントフレーム部の外側に突出し左右方向に延びる帯状の突出部２１が形成され、突出部２１は凸形状である曲面であり、フレーム部全体の強度を増している。
【００２２】
本構成により、フレーム部に調理容器などを誤って落としてしまった場合や当ててしま
った場合であっても、従来に比べ強度が増しているため、平面部が塑性変形することがなく、傷が付く課題を解決することができるのである。また、図３のＡ−Ａ断面図で示すように、傾斜部の後方端部２０と前記突出部２１の先端を通る平面２２よりも傾斜部１９が下方に位置するように形成されていることを特徴とすることで、フライパンなどの調理容器が平面部や傾斜部に一点で当たることを回避し、突出部２１と２点で当たる効果を有することにより、衝撃の力を分散することができ、フロントフレーム部２を塑性変形することがなく、傷が付く課題を解決することができるのである。よって、安心して調理することが可能となり、加熱調理器としての安全性を一層高めることができるのである。
【００２３】
（実施の形態２）
図４は、本発明の第２の実施の形態の加熱調理器の断面図を示すものである。本実施の形態は、第１の実施の形態のフロントフレーム部の外側に突出し左右方向に延びる帯状の突出部２１を、フロントフレーム部の内側に突出し左右方向に延びる帯状の突出部２３に代えたことを示す図である。本構成により、第１の実施の形態の凸形状の突出部２１の場合と同じように、フライパンなどの調理容器が平面部や傾斜部に一点で当たることを回避し、凹形状で形成された端部２点で当たる効果を有することにより、衝撃の力を分散することができ、平面部及び傾斜部が塑性変形することがなく、傷が付く課題を解決することができるのである。よって、安心して調理することが可能となり、加熱調理器としての安全性を一層高めることができる。
【００２４】
（実施の形態３）
図５は、本発明の第３の実施の形態における加熱調理器のフロントフレーム部２の拡大図を示すものであり、図６は、図５のＡ−Ａ断面図、Ｂ−Ｂ断面図、Ｃ−Ｃ断面図を示すものである。
【００２５】
本実施の形態は、図５、図６で示すように、突出部２１の先端の高さを、フロントフレーム部中央から左右側方端部に連続して徐々に低くなるように変化させたことを特徴とする。先端高さの関係は、Ａ−Ａ断面図における突出部２７が最も高く、次にＢ−Ｂ断面図における突出部２８が高く、最後にＣ−Ｃ断面図における突出部２９が最も低い。
【００２６】
本構成により、長手方向に対しても緩やかな曲面を保つことでデザイン性の向上としての効果を有し、加熱調理器の価値を一層高めるものとなる。
【００２７】
（実施の形態４）
図７は、本発明の第４の実施の形態における加熱調理器のフロントフレーム部２の拡大図を示すものである。本実施の形態は、複数の突出部３０が、間隔を分離して一列に形成されたことを特徴とする。本構成により、帯状と同等に、長手方向にフレームの平面部に打痕傷を防ぐことができ、衝撃を分散させることができる。よって、安心して調理することが可能となり、加熱調理器としての価値を一層高めることができる。
【００２８】
（実施の形態５）
図８は、本発明の第５の実施の形態における加熱調理器のフロントフレーム部の断面図を示すものである。本実施の形態は、傾斜部１９の最も高い部位３１と突出部の最も高い部位３２が同一高さ３３であることを特徴とする。本構成により、平面部に対して、より確実にフレームの平面部に打痕傷を防ぐことができ、衝撃を分散させることができる。よって、安心して調理することが可能となり、加熱調理器としての価値を一層高めることができる。
【００２９】
（実施の形態６）
図９は、本発明の第６の実施の形態における加熱調理器のフロントフレーム部の断面図
を示すものである。本実施の形態は、突出部が複数個形成されてなることを特徴とする。本構成により、平面部に対して、より確実にフレームの平面部に打痕傷を防ぐことができ、衝撃を分散させることができる。よって、安心して調理することが可能となり、加熱調理器としての価値を一層高めることができる。
【００３０】
（実施の形態７）
図１０は、本発明の第７の実施の形態における加熱調理器のフロントフレーム部の断面図を示すものである。本実施の形態は、フロントフレーム部２は、前面を設けることなく傾斜部のみで構成されたことを特徴とする。本構成により、フロントフレーム部２の形状において、自由度を持たせることができ、デザイン性を向上させることができる。よって、加熱調理器としての価値を一層高めることができる。
【産業上の利用可能性】
【００３１】
以上のように、本発明にかかる加熱調理器は、加熱調理器のフレーム部を損傷させない加熱調理器を実現することが可能となるので、誘導加熱調理器やガスコンロ等の用途にも適用できる。
【図面の簡単な説明】
【００３２】
【図１】本発明の実施の形態１における加熱調理器の全体図
【図２】本発明の実施の形態１におけるフロントフレーム部の拡大図
【図３】本発明の実施の形態１におけるフロントフレーム部の断面図
【図４】本発明の実施の形態２におけるフロントフレーム部の断面図
【図５】本発明の実施の形態３におけるフロントフレーム部の拡大図
【図６】本発明の実施の形態３におけるフロントフレーム部の断面図
【図７】本発明の実施の形態４におけるフロントフレーム部の拡大図
【図８】本発明の実施の形態５におけるフロントフレーム部の断面図
【図９】本発明の実施の形態６におけるフロントフレーム部の断面図
【図１０】本発明の実施の形態７におけるフロントフレーム部の断面図
【図１１】従来の加熱調理器のフロントフレーム部の拡大図
【図１２】従来の加熱調理器のフロントフレーム部の断面図
【図１３】従来の加熱調理器のフロントフレーム部の断面図
【符号の説明】
【００３３】
１  天板
２  フロントフレーム部
３  サイドフレーム部
４  バックフレーム部
８  天板前方端部
９  天板側方端部
１０  水平部
１１  傾斜部後方端部
１２  傾斜部
１３  傾斜部前方端部
１４  前面
１５  傾斜部側方端部
１６  側面
１９  傾斜部
２０  傾斜部後方端部
２１  突出部
２２  傾斜部後方端部と突出部先端を通る平面
２３  凹形状
２４  中央部
２５  側方端部
２６  傾斜部
２７  突出部
２８  突出部
２９  突出部
３０  複数の突出部
【図１】
0005018605.tif 000002
【図２】
0005018605.tif 000003
【図３】
0005018605.tif 000004
【図４】
0005018605.tif 000005
【図５】
0005018605.tif 000006
【図６】
0005018605.tif 000007
【図７】
0005018605.tif 000008
【図８】
0005018605.tif 000009
【図９】
0005018605.tif 000010
【図１０】
0005018605.tif 000011
【図１１】
0005018605.tif 000012
【図１２】
0005018605.tif 000013
【図１３】
0005018605.tif 000014